(57)【要約】【課題】アドレス期間において走査電極に印加される駆動波形に発生するノイズが減少され、プラズマディスプレイパネルの素子に及ぼす電気的損傷を防止することができるプラズマディスプレイ装置およびその駆動方法を提供する。【解決手段】本発明のプラズマディスプレイ装置の駆動方法は、第１の電圧まで立ち下がる立下りランプ波形を多数の走査電極に印加する段階と、第１の電圧から第２の電圧まで所定の勾配をもって立ち上がる立上りランプ波形を走査電極に印加する段階と、第２の電圧から第３の電圧まで立ち下がる走査パルスを走査電極に印加する段階と、を含む。【選択図】図６
2006189879.tif 000002
【特許請求の範囲】
【請求項１】
第１の電圧まで立ち下がる立下りランプ波形を複数の走査電極に印加する段階と、
前記第１の電圧から第２の電圧まで所定の勾配をもって立ち上がる立上りランプ波形を前記走査電極に印加する段階と、
前記第２の電圧から第３の電圧まで立ち下がる走査パルスを前記走査電極に印加する段階と、を含むことを特徴とするプラズマディスプレイ装置の駆動方法。
【請求項２】
前記立下りランプ波形を印加する段階は、リセット期間に前記立下りランプ波形を印加することを特徴とする請求項1に記載の駆動方法。
【請求項３】
前記立上りランプ波形を印加する段階は、アドレス期間に前記立上りランプ波形を印加することを特徴とする請求項1に記載の駆動方法。
【請求項４】
前記立上りランプ波形の勾配は、維持期間中に１走査電極に印加される維持パルスの勾配よりも小さいことを特徴とする請求項1に記載の駆動方法。
【請求項５】
前記立上りランプ波形を印加後、所定の期間中に前記第２の電圧を維持する段階をさらに含むことを特徴とする請求項1に記載の駆動方法。
【請求項６】
前記立上りランプ波形を印加する段階は、アドレス期間に第１の走査パルスが前記走査電極のうちいずれかに印加されるまで前記立上りランプ波形を印加することを特徴とする請求項1に記載の駆動方法。
【請求項７】
前記立上りランプ波形を印加する段階は、０μｓ超過、２０μｓ以下の範囲の印加時間で前記立上りランプ波形を印加することを特徴とする請求項1に記載の駆動方法。
【請求項８】
前記立上りランプ波形を印加する段階は、６μｓ超過、１０μｓ以下の範囲の印加時間で前記立上りランプ波形を印加することを特徴とする請求項1に記載の駆動方法。
【請求項９】
前記第３の電圧は、前記第１の電圧と実質的に同じであることを特徴とする請求項1に記載の駆動方法。
【請求項１０】
前記走査電極のうち第１の走査電極に印加される前記立上りランプ波形の印加時間は、前記走査電極のうち他の走査電極に印加される前記立上りランプ波形の印加時間とは異なることを特徴とする請求項1に記載の駆動方法。
【請求項１１】
前記走査電極は複数の走査電極群に分割され、前記走査電極群のうち第１の走査電極群に印加される前記立上りランプ波形の印加時間は、前記走査電極群のうち第２の走査電極群に印加される前記立上りランプ波形の印加時間とは異なることを特徴とする請求項1に記載の駆動方法。
【請求項１２】
前記複数の走査電極群のそれぞれは、同数の走査電極を含むことを特徴とする請求項11に記載の駆動方法。
【請求項１３】
前記走査電極群のうち前記第２の走査電極群は、前記走査電極群のうち前記第１の走査電極群とは異なる数の走査電極を有することを特徴とする請求項９に記載の駆動方法。
【請求項１４】
前記立下りランプ波形を印加する段階は、前記走査電極群のうち前記第１の走査電極群の全ての走査電極に複数の立下りランプ波形を印加することを特徴とし、前記走査電極群のうち前記第１の走査電極群の前記立下りランプ波形のそれぞれは、実質的に同じ印加時間を有することを特徴とする請求項1１に記載の駆動方法。
【請求項１５】
前記走査電極群のうち前記第１の走査電極群に印加される前記立上りランプ波形の印加時間は、前記走査電極群のうち前記第２の走査電極群に印加される前記立上りランプ波形の印加時間とは異なることを特徴とする請求項1１に記載の駆動方法。
【請求項１６】
前記走査電極群のうち前記第１の走査電極群に印加される前記立上りランプ波形の印加時間は、前記走査電極群のうち前記第２の走査電極群に印加される前記立上りランプ波形の印加時間とは実質的に同じであることを特徴とする請求項1１に記載の駆動方法。
【請求項１７】
複数の走査電極を有するプラズマディスプレイパネルと、
前記複数の走査電極に第１の電圧まで立下がる立下りランプ波形と、前記第１の電圧から第２の電圧まで立ち上がる立上りランプ波形、及び前記第２の電圧から第３の電圧まで立ち下がる走査パルスを印加する走査駆動部と、を含むことを特徴とするプラズマディスプレイ装置。
【請求項１８】
前記走査駆動部は、リセット期間に前記立下りランプ波形を印加することを特徴とする請求項1６に記載のプラズマディスプレイ装置。
【請求項１９】
前記走査駆動部は、アドレス期間に前記立上りランプ波形を印加することを特徴とする請求項1６に記載のプラズマディスプレイ装置。
【請求項２０】
前記立上りランプ波形は、所定の勾配をもって前記第１の電圧から常時第２の電圧まで立ち上がるが、前記立上りランプ波形の前記所定の勾配は、維持期間に印加される維持パルスの勾配よりも小さいことを特徴とする請求項1６に記載のプラズマディスプレイ装置。
【請求項２１】
前記走査駆動部は、前記立上りランプ波形を印加後、前記第２の電圧を所定の期間中に維持することを特徴とする請求項1６に記載のプラズマディスプレイ装置。
【請求項２２】
前記走査駆動部は、アドレス期間に第１の走査パルスが前記走査電極のうちいずれかに印加されるまで前記立上りランプ波形を印加することを特徴とする請求項1６に記載のプラズマディスプレイ装置。
【請求項２３】
前記走査駆動部は、０μｓ超過、２０μｓ以下の範囲の印加時間で前記立上りランプ波形を印加することを特徴とする請求項1６に記載のプラズマディスプレイ装置。
【請求項２４】
前記走査駆動部は、６μｓ超過、１０μｓ以下の範囲の印加時間で前記立上りランプ波形を印加することを特徴とする請求項1６に記載のプラズマディスプレイ装置。
【請求項２５】
前記３電圧は、前記第１の電圧とは実質的に同じであることを特徴とする請求項1６に記載のプラズマディスプレイ装置。
【請求項２６】
前記走査駆動部は、第１の印加時間を有する前記立上りランプ波形を前記走査電極のうち第１の走査電極に印加し、第２の印加時間を有する他の立上りランプ波形を前記走査電極のうち第２の走査電極に印加するが、前記第２の印加時間は、前記第１の印加時間とは異なることを特徴とする請求項1６に記載のプラズマディスプレイ装置。
【請求項２７】
前記走査電極は複数の走査電極群に分割され、前記走査駆動部は、第１の印加時間を有する前記立上りランプ波形を前記走査電極のうち第１の走査電極に印加し、第２の印加時間を有する他の立上りランプ波形を前記走査電極のうち第２の走査電極に印加するが、前記第２の印加時間は、前記第１の印加時間とは異なることを特徴とする請求項1６に記載のプラズマディスプレイ装置。
【請求項２８】
前記複数の走査電極群のそれぞれは、同数の走査電極を含むことを特徴とする請求項２６に記載のプラズマディスプレイ装置。
【請求項２９】
前記走査電極群のうち第２の走査電極群は、前記走査電極群のうち第１の走査電極群とは異なる数の走査電極を含むことを特徴とする請求項２６に記載のプラズマディスプレイ装置。
【請求項３０】
前記走査駆動部は、複数の立上りランプ波形を前記走査電極群のうち前記第１の走査電極群の全ての電極に印加し、前記走査電極群のうち前記第１の走査電極群の前記立上りランプ波形のそれぞれは、実質的に同じ印加時間を有することを特徴とする請求項２６に記載のプラズマディスプレイ装置。
【請求項３１】
前記走査電極群のうち前記第１の走査電極群に印加される前記立上りランプ波形の印加時間は、前記走査電極群のうち前記第２の走査電極群に印加される前記立上りランプ波形の印加時間とは異なることを特徴とする請求項２６に記載のプラズマディスプレイ装置。
【請求項３２】
前記走査電極群のうち前記第１の走査電極群に印加される前記立上りランプ波形の印加時間は、前記走査電極群のうち前記第２の走査電極群に印加される前記立上りランプ波形の印加時間とは異なることを特徴とする請求項２６に記載のプラズマディスプレイ装置。
【請求項３３】
複数の走査電極を有するプラズマディスプレイパネルと、
リセット期間に立下りランプ波形を印加し、アドレス期間に立上りランプ波形を印加し、前記アドレス期間に少なくとも一つの走査電極に走査パルスを印加する走査駆動部と、を備え、
前記立下りランプ波形は第１の電圧まで下がり、前記立上りランプ波形は前記第１の電圧から第２の電圧まで所定の勾配をもって立ち上がり、前記走査パルスは前記第２の電圧から第３の電圧まで立ち下がり、
前記立上りランプ波形の勾配は、維持期間に印加される維持パルスの勾配よりも小さいことを特徴とするプラズマディスプレイ装置。
【請求項３４】
前記走査電極は複数の走査電極群に分割され、前記走査駆動部は、第１の印加時間を有する前記立上りランプ波形に前記走査電極のうち第１の走査電極に印加し、第２の印加時間を有する他の立上りランプ波形に前記走査電極のうち第２の走査電極に印加するが、前記第２の印加時間は、前記第１の印加時間とは異なることを特徴とする請求項３０に記載のプラズマディスプレイ装置。
【請求項３５】
前記走査駆動部は、複数の立上りランプ波形を前記走査電極群のうち前記第１の走査電極群の全ての電極に印加し、前記走査電極群のうち前記第１の走査電極群の前記立上りランプ波形のそれぞれは、実質的に同じ印加時間を有することを特徴とする請求項３３に記載のプラズマディスプレイ装置。
【請求項３６】
前記走査電極群のうち前記第１の走査電極群に印加される前記立上りランプ波形の印加時間は、前記走査電極群のうち前記第２の走査電極群に印加される前記立上りランプ波形の印加時間とは異なることを特徴とする請求項３３に記載のプラズマディスプレイ装置。
【発明の詳細な説明】
【技術分野】
【０００１】
本発明は、プラズマディスプレイパネルに係り、詳しくは、アドレス期間に走査電極に印加される波形の電圧が、ノイズを減少させるように制御されるプラズマディスプレイ装置およびその駆動方法に関する。
【背景技術】
【０００２】
プラズマディスプレイパネルにおける単位セルは、前面基板と背面基板との間に形成された隔壁により限定されている。各セルには、ネオン（Ｎｅ）、ヘリウム（Ｈｅ）またはネオンおよびヘリウムの混合ガス（Ｎｅ＋Ｈｅ）のような主放電ガスと、少量のキセノン（Ｘｅ）を含有する不活性ガスとが充填されている。高周波電圧により放電されるとき、不活性ガスは真空紫外線を発生し、この紫外線は、隔壁間に形成された蛍光体を発光および励起させて画像を表示する。このようなプラズマディスプレイパネルは、薄型かつ軽量の構成が可能であるので、次世代の表示装置として脚光をあびている。
【発明の開示】
【発明が解決しようとする課題】
【０００３】
そこで、本発明は、上記問題点に鑑みなされたもので、その目的は、アドレス期間において走査電極に印加される駆動波形に発生するノイズが減少され、プラズマディスプレイパネル（以下、「ＰＤＰ」という）の素子に及ぼす電気的損傷を防止することができるプラズマディスプレイ装置およびその駆動方法を提供することにある。
【課題を解決するための手段】
【０００４】
上記目的を達成するために、本発明の実施の形態による駆動方法は、立上りランプ波形を複数の走査電極に印加することを含む。この立上りランプ波形は、第１の電圧まで立ち下がる。また、この駆動方法は、第１の電圧から第２の電圧まで所定の勾配をもって立ち上がる立上りランプ波形を印加することを含む。さらに、走査パルスが走査電極に印加され、この走査パルスは、第２の電圧から第３の電圧まで立ち下がる。
【０００５】
前記立上りランプ波形の勾配は、維持期間中に印加される維持パルスの勾配よりも小さい。
【０００６】
前記立上りランプ波形は、所定の期間中に第２の電圧を維持する。
【０００７】
前記立上りランプ波形は、走査電極に印加される走査パルスのうち第１の走査パルスが印加されるまで連続的に印加される。
【０００８】
前記立上りランプ波形を印加するための時間（すなわち、印加時間）は、０μｓ超過、２０μｓ以下の範囲である。
【０００９】
前記立上りランプ波形の印加時間は、６μｓ以上、１０μｓ以下の範囲である。
【００１０】
また、前記第１の電圧と前記第３の電圧は、実質的に同じである。
【００１１】
少なくとも一つの走査電極に印加される立上りランプ波形の印加時間が、少なくとも一つの他の走査電極に印加される立上りランプ波形の印加時間と異なる。
【００１２】
前記走査電極は、少なくとも一つの走査電極を含む２個以上の走査電極群に分割される。少なくとも一つの走査電極群に印加される立上りランプ波形の印加時間が、少なくとも一つの他の走査電極群に印加される立上りランプ波形の印加時間と異なる。
【００１３】
２個以上の走査電極群は、同数の走査電極を含む。
【００１４】
少なくとも一つの走査電極群は、他の走査電極群とは異なる数の走査電極を含む。
【００１５】
同一の走査電極群に属する全ての走査電極には、同一の印加時間に立上りランプ波形が印加される。
【００１６】
２つの他の印加時間の時間差は、同一または異なってもよい。
【００１７】
プラズマディスプレイ装置は、複数の走査電極が形成されたＰＤＰを含む。走査駆動部は、複数の走査電極に、第１の電圧まで立ち下がる立下りランプ波形を印加し、第１の電圧から第２の電圧まで所定の勾配をもって立ち上がる立上りランプ波形を印加し、第２の電圧から第３の電圧まで立ち下がる走査パルスを供給する。
【００１８】
前記立上りランプ波形の勾配は、維持期間中に印加される維持パルスの勾配よりも小さい。
【００１９】
前記立上りランプ波形は、所定の期間中に第２の電圧を維持する。
【００２０】
前記立上りランプ波形は、走査電極に印加される走査パルスのうち第１の走査パルスが印加されるまで印加される。
【００２１】
前記立上りランプ波形の印加時間は、０μｓ超過、２０μｓ以下の範囲である。
【００２２】
前記立上りランプ波形の印加時間は、６μｓ以上、１０μｓ以下の範囲である。
【００２３】
前記第１の電圧と前記第３の電圧は、同じである。
【００２４】
少なくとも一つの走査電極に印加される立上りランプ波形の印加時間が、他の走査電極に印加される立上りランプ波形の印加時間と異なる。
【００２５】
前記走査電極は、２個以上の走査電極群に分割される。少なくとも一つの走査電極群に印加される立上りランプ波形の印加時間が、他の走査電極群に印加される立上りランプ波形の印加時間と異なる。
【００２６】
各走査電極は、同数の走査電極を含む。
【００２７】
少なくとも一つの走査電極群は、他の走査電極群とは異なる数の走査電極を含む。
【００２８】
同一の走査電極群に属する全ての走査電極には、同一の印加時間を有する立上りランプ波形が印加される。
【００２９】
２個以上の走査電極群に印加される立上りランプ波形の２個の他の印加時間の差は、同一または異なってもよい。
【００３０】
複数の走査電極が形成されたＰＤＰと、走査電極に立上り区間を有する走査基準波形を供給する走査駆動部と、を備えるプラズマディスプレイ装置が提供される。
【００３１】
走査基準波形は、アドレス期間に印加される電圧である。
【００３２】
立上り区間は、走査基準波形の電圧が走査基準電圧まで所定の勾配をもって変化する区間である。
【００３３】
複数の走査電極が形成されたＰＤＰと、走査電極に、第１の電圧まで立ち下がる立下りランプ波形を印加し、第１の電圧から第２の電圧まで所定の勾配をもって立ち上がる立上りランプ波形を印加し、第２の電圧から第３の電圧まで立ち下がる走査パルスを供給する走査駆動部とを備えるプラズマディスプレイ装置が提供される。前記立上りランプ波形の勾配は、維持期間に印加される維持パルスの勾配よりも小さい。
【発明の効果】
【００３４】
本発明のプラズマディスプレイ装置およびその駆動方法は、アドレス期間に走査電極に印加される走査基準波形の電圧立ち上がり時間を制御することができ、このため、立ち上がりランプ波形の印加時間を調節することにより、ＰＤＰの駆動素子に及ぼす電気的損傷を防止することができる。
【発明を実施するための最良の形態】
【００３５】
以下、添付図を参照して本発明の好適な実施の形態を説明する。
【００３６】
図１は、例示的な配列によるＰＤＰ（プラズマディスプレイパネル）の構造を示す概略図である。他の配列も可能である。
【００３７】
図１に示すように、ＰＤＰは、一定の間隔だけ離隔されて相互平行に配置された前面パネル１００と背面パネル１１０とを有している。前面パネル１００は、表示面としての役割をする前面基板１０１、および維持電極対となる走査電極１０２と維持電極１０３を有する。背面パネル１１０は、ＰＤＰの背面となる背面基板１１１と、維持電極対と交差して背面基板１１１上に配列されたアドレス電極１１３と、を有する。
【００３８】
前面パネル１００には、１個の放電セルにおいて相互放電させ、セルの発光を維持するための走査電極１０２および維持電極１０３、すなわち、透明なＩＴＯ物質で形成された透明電極ａと、金属材質で作製されたバス電極ｂとを備えた走査電極１０２および維持電極１０３が対をなして含まれている。走査電極１０２および維持電極１０３は、放電電流を制限するとともに、電極対間を絶縁させる一つ以上の上部誘電体層１０４により覆われ、上部誘電体層１０４の上面には、放電条件を容易にするために、酸化マグネシウム（ＭｇＯ）を蒸着した保護層１０５が形成される。
【００３９】
背面パネル１１０は、多数の放電空間、すなわち、放電セルを形成させるためのストライプ状（または、ウェル状）の隔壁１１２が平行を維持して配列される。また、アドレス放電を行って真空紫外線を発生させる多数のアドレス電極１１３が、隔壁１１２に対して平行に配置される。背面パネル１１０の上側面には、アドレス放電の際に画像表示のための可視光線を放出するＲ、Ｇ、Ｂ蛍光体１１４が塗布される。アドレス電極１１３と蛍光体１１４との間には、アドレス電極１１３を保護するための下部誘電体層１１５が形成される。このようなＰＤＰにおける画像階調の具現方法は、以下の図２の通りである。
【００４０】
図２は、例示的な配列によるＰＤＰの画像階調を具現する方法を示す図である。他の配列もまた可能である。特に、図２では、１フレームを発光回数の異なる複数個のサブフィールドに分け、各サブフィールドは、さらに全てのセルを初期化させるためのリセット期間ＲＰＤと、放電すべきセルを選択するためのアドレス期間ＡＰＤと、放電回数により階調を具現する維持期間ＳＰＤとに分けられる。例えば、２５６階調で画像を表示しよとうする場合、１／６０秒に該当するフレーム期間（１６．６７ｍｓ）は、８個のサブフィールドＳＦ１〜ＳＦ８に分けられ、８個のサブフィールドＳＦ１〜ＳＦ８のそれぞれは、リセット期間、アドレス期間および維持期間にさらに分けられるようになる。
【００４１】
各サブフィールドのリセット期間およびアドレス期間は、各サブフィールド毎に同一である。放電すべきセルを選択するためのアドレス放電は、アドレス電極と走査電極である透明電極との間の電圧差によって引き起こされる。維持期間は、各サブフィールドにおいて、２ｎ（但し、ｎ＝０、１、２、３、４、５、６、７）の割合で増加する。このように各サブフィールドにおける維持期間が異なるので、各サブフィールドの維持期間、すなわち、維持放電回数を調節して画像の階調を表現するようになる。このようなＰＤＰの駆動方法による駆動波形を、以下の図３に示す。
【００４２】
図３は、例示的な配列による駆動波形を示す図である。他の配列もまた可能である。図３に示すように、ＰＤＰは、全てのセルを初期化させるためのリセット期間と、放電すべきセルを選択するためのアドレス期間と、選択されたセルの放電を維持させるための維持期間と、放電されたセル内の壁電荷を消去するための消去期間とに分けられて駆動される。リセット期間は、セットアップ期間とセットダウン期間を含んでいてもよい。
【００４３】
リセット期間におけるセットアップ期間には、全ての走査電極に立上りランプ波形Ｒａｍｐ−ｕｐが同時に印加される。この立上りランプ波形によって、全画面の放電セル内には、弱い暗放電(Dark Discharge)が引き起こされる。このセットアップ放電により、アドレス電極と維持電極との上には正極性壁電荷が重なり、走査電極の上には負極性壁電荷が重なるようになる。
【００４４】
立上りランプ波形が供給された後、セットダウン期間には、立上りランプ波形（Ｒａｍｐ−ｄｏｗｎ）が走査電極に印加される。この立下りランプ波形は、立上りランプ波形のピーク電圧よりも低い正極性の電圧から落ち始め、グランドＧＮＤレベル電圧以下の特定の電圧レベルまで落ちる。これは、セル内に微弱な消去放電を引き起こすことにより、走査電極に過渡に形成された壁電荷を充分に消去させるようになる。このセットダウン放電により、アドレス放電が安定に行われる程度の壁電荷がセル内に均一に残される。
【００４５】
アドレス期間には、走査電極に走査基準電圧Ｖｓｃの走査基準波形が印加され、このような走査基準波形の走査基準電圧Ｖｓｃから立ち下がる負極性の走査パルスが走査電極に順次印加されるとともに、走査パルスに同期されてアドレス電極に正極性のデータパルスが印加される。この走査パルスとデータパルスとの電圧差と、リセット期間に生成された壁電圧が加えられることにより、データパルスが印加される放電セル内には、アドレス放電が発生する。アドレス放電により選択されたセル内には、維持電圧Ｖｓが印加されるとき、放電を引き起こす程度の壁電荷が形成される。維持電極には、セットダウン期間とアドレス期間との間、走査電極との電圧差を減らして走査電極との誤放電が生じないように、正極性の電圧Ｖｚが供給される。
【００４６】
維持期間には、走査電極と維持電極に交互に維持パルスｓｕｓ（または維持信号または維持波形）が印加される。アドレス放電により選択されたセルは、セル内の壁電圧と維持パルスが加えられることにより、維持パルスが印加される度に、走査電極と維持電極との間に維持放電（すなわち、表示放電）が引き起こされるようになる。
【００４７】
維持放電が完了した後、消去期間では、パルス幅と電圧レベルの小さな消去ランプ波形（Ｒａｍｐ−ｅｒｓ）の電圧が、維持電極に供給されて全画面のセル内に残された壁電荷を消去させるようになる。
【００４８】
このような駆動波形で駆動されるＰＤＰは、アドレス期間において、走査電極に印加される走査基準波形の印加時間が、全ての走査電極で同一であり、またその電圧が急に立ち上がって印加される。このような従来のアドレス期間における走査波形の印加時点を、図４に示す。
【００４９】
図４は、例示的な配列によるアドレス期間に走査基準波形の印加時点を説明するための図である。特に、アドレス期間において、走査電極に印加される走査基準波形は、全ての走査電極において同時（ｔｓ）に印加される。このように、同一の時点で、走査基準波形がそれぞれの走査電極に印加されると、走査電極に印加される走査基準波形にノイズが発生するようになる。このような同一の時点で、走査基準波形がそれぞれ走査電極に印加されるときに発生するノイズの一例を、図５に示す。
【００５０】
図５は、例示的な配列によるアドレス期間において走査電極に印加される走査基準波形が印加されるとき、同一の印加時点によるノイズの発生を説明するための図である。図５に示すように、従来、ＰＤＰの駆動方法において、アドレス期間に、走査基準波形がそれぞれ走査電極に同一の時点に急に印加されると、走査電極に印加される駆動波形にノイズが発生する。このようなノイズは、パネルの静電容量によるカップリングのために発生するものであって、走査基準波形の電圧が急上昇する時点では、走査電極に印加される駆動波形に立上りノイズが発生する。
【００５１】
したがって、ＰＤＰの駆動方法は、同一の時点に走査基準波形が走査電極に印加される場合、走査電極に印加される走査基準波形にノイズが発生する短所があった。このようなノイズは、走査電極に走査パルスを印加するための走査ドライバＩＣ(Integrated Circuit)のようなＰＤＰの駆動素子に電気的損傷を与えることもあった。
＜第１の実施の形態＞
【００５２】
図６は、本発明の第１の実施の形態によるプラズマディスプレイ装置を示すブロック図である。本発明の範囲内において、他の実施の形態および構成もまた可能である。
【００５３】
図６に示すように、本実施の形態によるプラズマディスプレイ装置は、データ整列部６００と、タイミング制御部６０１と、データ駆動部６０２と、走査駆動部６０３と、維持駆動部６０４と、ＰＤＰ６０５とを備えている。
【００５４】
ＰＤＰ６０５は、１個以上の走査電極と、この走査電極と平行方向に形成された１個以上の維持電極と、この維持電極および走査電極との交差方向に形成されたアドレス電極とで構成されている。
【００５５】
データ整列部６００は、外部から入力される映像データを整列し、それぞれのアドレス電極Ｘ１〜Ｘｎに印加されるようにする。
【００５６】
データ駆動部６０２は、整列されたデータのデータパルスをＰＤＰ６０５のアドレス電極Ｘ１〜Ｘｎに印加する。
【００５７】
タイミング制御部６０１は、走査駆動部６０３と維持駆動部６０４のパルスタイミングを制御する。
【００５８】
走査駆動部６０３は、走査基準波形、走査パルス、および維持パルスをそれぞれの走査電極Ｙ１〜Ｙｍに印加する。この走査パルスは、走査信号および／または走査波形とも呼ばれる。この維持パルスは、維持信号および／または維持波形とも呼ばれる。
【００５９】
維持駆動部６０４は、維持パルス（または維持信号または維持波形）をそれぞれの維持電極Ｚに印加する。このような過程を通じて、ＰＤＰ６０５が駆動される。
【００６０】
このような本実施の形態によるプラズマディスプレイ装置は、アドレス期間において、走査電極に印加される立上りランプ波形、すなわち、走査基準波形の電圧を調節する。
【００６１】
タイミング制御部６０１は、前記走査駆動部６０３を制御して、前述のようにアドレス期間において走査電極に印加される立上りランプ波形、すなわち、走査基準波形を調節するものである。リセット期間のセットダウン期間において、走査駆動部６０３は、多数の走査電極に、第１の電圧まで立ち下がる立下りランプ波形を印加、すなわち、セットダウンパルスを印加し、このような第１の電圧から第２の電圧まで所定の勾配をもって立ち上がる立上りランプ波形を印加、すなわち、前記セットダウンパルスのエッジから所定の勾配をもって走査基準電圧Ｖｓｃまで立ち上がる走査基準波形を印加した後、このような第２の電圧から第３の電圧まで立ち下がる、すなわち、走査基準波形の−Ｖｙまで立ち下がる走査パルスを供給する。
【００６２】
このように、アドレス期間において、走査電極に印加される立下りランプ波形、すなわち、走査基準波形を調節してプラズマディスプレイ装置を駆動させる方法を、図７ａ乃至図７ｃに示す。
【００６３】
図７ａ乃至図７ｃは、本発明の例示的な実施の形態による図６に示したプラズマディスプレイ装置の駆動方法を説明するための波形図である。本発明の範囲内において、他の実施の形態および構成もまた可能である。
【００６４】
図７ａ乃至図７ｃに示すように、本発明のプラズマディスプレイ装置の駆動方法では、リセット期間、アドレス期間、および維持期間において、アドレス電極、走査電極Ｙ１〜Ｙｍ（ｍは、正数）、および維持電極に、所定のパルス（あるいは、信号または波形）が印加される少なくとも一つのサブフィールドの組合せによって、所定の数のフレームからなる画像を表現するにあたって、アドレス期間において走査電極に印加される立上りランプ波形、すなわち、走査基準波形が、所定の勾配をもって立ち上がるように調節される。
【００６５】
図７ａを参照すると、リセット期間のセットダウン期間の間、走査電極に印加される立下り波形が第１の電圧−Ｖｗまで立ち下がり、以降、アドレス期間において走査電極には、所定の勾配をもって、第１の電圧から漸進的に立ち上がり始め、第２の電圧である走査基準電圧Ｖｓｃに到達する立上りランプ波形を有する走査基準となる波形が印加される。以降、第２の電圧から第３の電圧−Ｖｙまで立ち下がる走査パルスＳｃａｎが走査電極に印加される。
【００６６】
このとき、セットダウン期間の間、走査電極に印加される第１の電圧と、走査パルスの電圧である第３の電圧−Ｖｙとは、同一であっても、または実質的に同一であってもよい。
【００６７】
このように第３の電圧を有する走査パルスが走査電極に印加されるとき、データパルス（あるいは、信号または波形）が走査パルスと同期され、アドレス電極のうちいずれか一つに印加されてアドレス放電が発生することができる。
【００６８】
以降、維持期間において、走査電極と維持電極に維持パルスが供給されることにより、アドレス期間において、データパルスと走査パルスによって発生されたアドレス放電セルの放電を維持し続けることができる。
【００６９】
図７ｂは、図７ａにおける領域Ａ及びＢを詳述するための図であって、この図７ｂを参照すると、前述した立上りランプ波形は、走査電極に印加される走査パルスのうち、第１の走査パルスが印加されないうちに印加されることが好ましい。言い換えると、走査基準波形の電圧は、以前のリセット期間のセットダウン期間において、立下りランプのセットダウンパルスが終わりまで立ち下がった時点から、走査電極に第１の走査パルスが供給される前までの期間内に立ち上がる。
【００７０】
このような立上りランプ波形の印加時間は、０μｓ超過、２０μｓ以下の範囲であってもよい。すなわち、この立上りランプ波形は、０μｓ超過、２０μｓ以下の間、印加され得る。さらに、立上りランプ波形の印加時間は、６μｓ以上、１０μｓ以下の範囲であってもよい。すなわち、この立上りランプ波形は、６μｓ以上、１０μｓ以下の間、印加され得る。しかも、上述のように、立上りランプ波形の勾配αは、維持期間に印加される維持パルスの勾配βよりも小さな値を有する。
【００７１】
図７ｃに示す本発明によるプラズマディスプレイ装置の駆動方法は、図７ａに示した駆動方法と殆ど同様である。但し、図７ａにおいて、セットダウン期間とアドレス期間の間、維持電極に印加されるバイアス波形とは異なるバイアス波形が、アドレス期間の間、維持電極に印加されることが相違する。
【００７２】
このとき、バイアス波形の電圧Ｖｚは、維持パルスの電圧Ｖｓと同一であってもよい。また、このバイアス波形は、選定された勾配をもって増加するように制御される。
【００７３】
上述した方法によると、アドレス期間において、走査電極に印加される走査基準波形によって発生するノイズの大きさを減少させることができる。このようなノイズの減少について、図８を参照して説明する。
【００７４】
図８は、本発明の例示的な実施の形態によるプラズマディスプレイ装置の駆動方法によって減少されるノイズを説明するための図である。特に、図８は、アドレス期間において、走査電極に印加される波形のノイズの大きさが、図５のそれよりも小さいことを示す。このようにノイズが減少した理由は、走査電極Ｙ１〜Ｙｍに印加される立上りランプ波形、走査基準波形の電圧が漸進的に立ち上がる時間を、０μｓ超過、２０μｓ以下の範囲内で調節し、より好ましくは、このような立上りランプ波形の印加時間を、６μｓ以上、１０μｓ以下の範囲内で調節して、各走査基準波形の印加時点において、パネルの静電容量によるカップリングを減少させることにより、走査基準波形の電圧が急上昇する時点では、走査電極に印加される波形に発生する立上りノイズを減少させる。これにより、ＰＤＰの駆動素子、たとえば、走査駆動部の走査ドライバＩＣの電気的損傷を防止する。
【００７５】
本実施の形態による駆動方法は、全ての走査電極Ｙ１〜Ｙｍに印加される走査基準波形の電圧立上り時間、すなわち、立上り波形の印加時間を、０μｓ超過、２０μｓ以下、好ましくは、６μｓ以上、１０μｓ以下の範囲内で同一に調節することであるが、これとは異なり、走査電極Ｙ１〜Ｙｍを多数の走査電極群に分け、このように分けた走査電極群毎にアドレス期間において印加される走査基準波形の電圧立上り時間、すなわち、立上りパルスの印加時間をそれぞれ異なるようにすることも可能であるが、この方法を、第２の実施の形態において説明する。
＜第２の実施の形態＞
【００７６】
図９は、本発明の第２の実施の形態によるプラズマディスプレイ装置を示すブロック図である。本発明の範囲内において、他の実施の形態および構成もまた可能である。
【００７７】
図９に示すように、本実施の形態によるプラズマディスプレイ装置は、データ整列部９００と、タイミング制御部９０１と、データ駆動部９０２と、走査駆動部９０３と、維持駆動部９０４と、ＰＤＰ９０５とを備えている。
【００７８】
ＰＤＰ９０５は、１個以上の走査電極と、この走査電極と平行方向に形成された１個以上の維持電極と、この維持電極および走査電極との交差方向に形成されたアドレス電極とで構成されている。
【００７９】
データ整列部９００は、外部から入力される映像データを整列し、それぞれのアドレス電極Ｘ１〜Ｘｎに印加されるようにする。
【００８０】
データ駆動部９０２は、整列されたデータのデータパルスをＰＤＰ９０５のアドレス電極Ｘ１〜Ｘｎに印加する。
【００８１】
タイミング制御部９０１は、走査駆動部９０３と維持駆動部９０４のパルスタイミングを制御する。
【００８２】
走査駆動部９０３は、走査パルスと維持パルスをそれぞれの走査電極Ｙ１〜Ｙｍに印加する。
【００８３】
維持駆動部９０４は、維持パルスをそれぞれの維持電極Ｚに印加する。このような過程を通じて、ＰＤＰ９０５が駆動される。
【００８４】
本実施の形態によると、走査電極Ｙ１〜Ｙｍ（ｍは、正数）が多数の電極群に分けられ、１個以上の走査電極群には、アドレス期間において、他の走査電極群に印加される立上りランプ波形とは異なる立上り時間を有する走査基準波形が印加され得る。すなわち、１個の走査電極群に印加される走査基準波形の立上り時間は、他の走査電極群に印加される走査基準波形の立上り時間と異なってもよい。この立上り時間は、走査基準波形が走査基準電圧まで漸進的に立ち上がる時間分である。
【００８５】
ここで、本実施の形態によるプラズマディスプレイ装置の動作を説明するのに先立って、上述した走査電極群の概念について、図１０を参照して説明する。
【００８６】
図１０は、走査電極群の概念を説明するための図である。
【００８７】
図１０を参照すると、ＰＤＰ１０００の走査電極Ｙ１〜Ｙｍは、たとえば、Ｙａ走査電極群Ｙａ１〜Ｙａ（ｍ）／４、Ｙｂ走査電極群Ｙｂ（ｍ＋１）／４〜Ｙｂ（２ｍ）／４、Ｙｃ走査電極群Ｙｃ（２ｍ＋１）／４〜Ｙｃ（３ｍ）／４、およびＹｄ走査電極群Ｙｄ（３ｍ＋１）／４〜Ｙｄ（ｍ）に分けられる。
【００８８】
図１０において、各走査電極群（Ｙａ走査電極群、Ｙｂ走査電極群、Ｙｃ走査電極群、Ｙｄ走査電極群）に含まれた走査電極の数を同一に設定したが、各走査電極群（Ｙａ走査電極群、Ｙｂ走査電極群、Ｙｃ走査電極群、Ｙｄ走査電極群）に含まれた走査電極の数を異なるように設定することも可能である。たとえば、Ｙａ走査電極群には１００個の走査電極、Ｙｂ走査電極群には２００個の走査電極が含まれてもよい。
【００８９】
また、走査電極群の数も調節可能である。また、このような走査電極群の数は、最小２個から最大の走査電極の総数よりも小さな範囲、すなわち、２≦Ｍ≦（ｍ−１）個（Ｍは走査電極群の数であり、ｍは走査電極の数である）の間で設定され得る。
【００９０】
以上、図１０を参照して説明した電極群の概念に基づいて、図９に示す本実施の形態によるプラズマディスプレイ装置について引き続き説明する。
【００９１】
上述した本実施の形態において、走査電極Ｙ１〜Ｙｍ（ｍは、正数）を多数の電極群に分けるものと仮定すると、タイミング制御部９０１が、前記走査駆動部９０３を制御して、上述したように、アドレス期間において少なくとも一つの走査電極群に印加される立上りランプ波形の印加時間、すなわち、走査基準波形の電圧が漸進的に立ち上がる時間を、残りの走査電極群と異なるように調節する。すなわち、前記走査駆動部９０３は、タイミング制御部９０１の制御に応じて、アドレス期間において、少なくとも一つの走査電極群に印加される立上りランプ波形の印加時間、すなわち、走査基準波形の電圧が漸進的に立ち上がる時間を、残りの走査電極群と異なるようにする。
【００９２】
前記立上りランプ波形の印加時間、すなわち、走査基準波形の電圧が漸進的に立ち上がる時間は、以前のリセット期間のセットダウン期間において、立下りランプのセットダウンパルスが終わりまで立ち下がった時点から、第１の走査パルスが供給される前までの期間内で調節される。立上りランプ波形の印加時間は、漸進的に立ち上がる走査基準波形の電圧の立上り時間と見なされ得る。
【００９３】
このような立上りランプ波形の印加時間、すなわち、走査基準波形の電圧が漸進的に立ち上がる時間は、前記走査駆動部６０３によって０μｓ超過、２０μｓ以下の範囲内で調節されることが好ましい。より好ましくは、立上りランプ波形の印加時間は、６μｓ以上、１０μｓ以下の範囲内で調節される。
【００９４】
また、本実施の形態では、走査電極Ｙ１〜Ｙｍを多数の電極群に分けるとき、走査電極群の数を２個以上、走査電極の総数以下として走査電極群を設定し、たとえば、走査電極Ｙ１〜Ｙｍを４個、６個、１０個などの走査電極群に分けて設定し、このような走査電極群毎にアドレス期間において印加される立上りランプ波形の印加時間を調節する。ここで、このように分けられた走査電極群は、１個以上の走査電極を含み、またこのような走査電極群は、全て同数の走査電極を含み、または１個以上において異なる数の走査電極を含む。
【００９５】
上述したように、立上りランプ波形の印加時間を調節するとき、走査電極群に含まれた全ての走査電極には、印加時間が同一である立上りランプ波形を印加することが好ましい。たとえば、前述した図１０におけるＹａ走査電極群に含まれた全ての走査電極、すなわち、走査電極Ｙａ１からＹａ（ｍ）／４までの走査電極に印加される立上りランプ波形の印加時間、すなわち、走査基準波形の電圧が漸進的に立ち上がる時間は５μｓに設定し、Ｙｂ走査電極群に含まれた全ての走査電極、すなわち、走査電極Ｙｂ（ｍ＋１）／４からＹｂ（２ｍ）／４までの走査電極に印加される立上りランプ波形の印加時間は１０μｓに設定する。このように、１個の走査電極群に属する走査電極に印加される立上りランプ波形の印加時間は、全て同一に設定される。
【００９６】
また、相異なる印加時間を有する２個の立上りランプ波形の印加時間の差は同一に設定され得る。たとえば、図１０におけるＹａ走査電極群に含まれた全ての走査電極、すなわち、走査電極Ｙａ１からＹａ（ｍ）／４までの走査電極に印加される立上りランプ波形の印加時間は５μｓに設定し、Ｙｂ走査電極群に含まれた全ての走査電極、すなわち、走査電極Ｙｂ（ｍ＋１）／４から走査電極Ｙｂ（２ｍ）／４までの走査電極に印加される立上りランプ波形の印加時間は１０μｓに設定し、Ｙｃ走査電極群に含まれた全ての走査電極、すなわち、走査電極Ｙｃ（２ｍ＋１）／４から走査電極Ｙｃ（３ｍ）／４までの全ての走査電極に印加される立上りランプ波形の印加時間は１５μｓに設定し、Ｙｄ走査電極群に含まれた全ての走査電極、すなわち、走査電極Ｙｄ（３ｍ＋１）／４から走査電極Ｙｄ（ｍ）までの全ての走査電極に印加される立上りランプ波形の印加時間は２０μｓに設定する。すなわち、Ｙａ走査電極群に印加される立上りランプ波形の印加時間と、Ｙｂ走査電極群に印加される立上りランプ波形の印加時間との差は５μｓであり、Ｙｂ走査電極群に印加される立上りランプ波形の印加時間と、Ｙｃ走査電極群に印加される立上りランプ波形の印加時間との差も５μｓであり、Ｙｃ走査電極群に印加される立上りランプ波形の印加時間と、Ｙｄ走査電極群に印加される立上りランプ波形の印加時間との差も５μｓである。
【００９７】
また、相異なる印加時間を有する２個の立上りランプ波形の印加時間の差は、互いに異なるように設定され得る。たとえば、図１０における、Ｙａ走査電極群に含まれた全ての走査電極、すなわち、走査電極Ｙａ１からＹａ（ｍ）／４までの走査電極に印加される立上りランプ波形の印加時間は５μｓに設定し、Ｙｂ走査電極群に含まれた全ての走査電極、すなわち、走査電極Ｙｂ（ｍ＋１）／４からＹｂ（２ｍ）／４までの走査電極に印加される立上りランプ波形の印加時間は７μｓに設定し、Ｙｃ走査電極群に含まれた全ての走査電極、すなわち、走査電極Ｙｃ（２ｍ＋１）／４からＹｃ（３ｍ）／４までの全ての走査電極に印加される立上りランプ波形の印加時間は１５μｓに設定し、Ｙｄ走査電極群に含まれた全ての走査電極、すなわち、走査電極Ｙｄ（３ｍ＋１）／４からＹｄ（ｍ）までの全ての走査電極に印加される立上りランプ波形の印加時間は２０μｓに設定する。すなわち、Ｙａ走査電極群に印加される立上りランプ波形の印加時間と、Ｙｂ走査電極群に印加される立上りランプ波形の印加時間との差は２μｓであり、Ｙｂ走査電極群に印加される立上りランプ波形の印加時間と、Ｙｃ走査電極群に印加される立上りランプ波形の印加時間との差は８μｓであり、Ｙｃ走査電極群に印加される立上りランプ波形の印加時間と、Ｙｄ走査電極群に印加される立上りランプ波形の印加時間との差は５μｓである。
【００９８】
このように、アドレス期間において走査電極に印加される立上りランプ波形の印加時間を調節してＰＤＰを駆動させる方法について、図１１ａおよび図１１ｂを参照して説明する。
【００９９】
図１１ａおよび図１１ｂは、本実施の形態による図９に示したプラズマディスプレイ装置の駆動方法を説明するための図である。
【０１００】
図１１ａおよび図１１ｂに示すように、本発明によるプラズマディスプレイ装置の駆動方法では、リセット期間、アドレス期間、および維持期間において、アドレス電極、走査電極Ｙ１〜Ｙｍ（ｍは、正数）、および維持電極に、所定のパルスが印加される少なくとも一つのサブフィールドの組合せによって、所定の数のフレームからなる画像を表現する駆動方法において、前記走査電極は、少なくとも一つの走査電極を含む２個以上の走査電極群に分割され、少なくとも一つの走査電極群に印加される立上りランプ波形の印加時間が、少なくとも一つの他の走査電極群に印加される立上りランプ波形の印加時間とは異なる。
【０１０１】
たとえば、図１１ａに示すように、前述した図１０におけるようなＹａ走査電極群に含まれた全ての走査電極には、アドレス期間において時点ｔ０から立ち上がり始め、時点ｔ１において走査基準電圧Ｖｓｃに到達する走査基準波形が印加、すなわち、印加時間がｔ１−ｔ０である立上りランプ波形が印加され、Ｙｂ走査電極群に含まれた全ての走査電極には、アドレス期間において時点ｔ０から立ち上がり始め、時点ｔ２において走査基準電圧Ｖｓｃに到達する走査基準波形が印加、すなわち、印加時間がｔ２−ｔ０である立上りランプ波形が印加され、Ｙｃ走査電極群に含まれた全ての走査電極には、アドレス期間において時点ｔ０から立ち上がり始め、時点ｔ３において走査基準電圧Ｖｓｃに到達する走査基準波形が印加、すなわち、印加時間がｔ３−ｔ０である立上りランプ波形が印加され、Ｙｄ走査電極群に含まれた全ての走査電極には、アドレス期間において時点ｔ０から立ち上がり始め、時点ｔ４において走査基準電圧Ｖｓｃに到達する走査基準波形が印加、すなわち、印加時間がｔ４−ｔ０である立上りランプ波形が印加される。これにより、それぞれの走査電極群に印加される走査基準波形の電圧が漸進的に立ち上がる時間、すなわち、立上りランプ波形の印加時間が異なる。
【０１０２】
図１１ａでは、それぞれの走査電極群毎に、それぞれ相異なる電圧立上り時間を有する走査基準波形、すなわち、印加時間が相異なる立上り波形を印加したが、このような走査電極群のうち、所定の数の電極群を選択し、このように選択した走査電極群にのみ相異なる電圧立上り時間を有する走査基準波形を印加することも可能である。たとえば、Ｙａ走査電極群に含まれた全ての走査電極には、アドレス期間において時点ｔ０から立ち上がり始め、時点ｔ１において走査基準電圧Ｖｓｃに到達する走査基準波形が印加、すなわち、印加時間がｔ１−ｔ０である立上りランプ波形が印加され、Ｙｂ、Ｙｃ、Ｙｄの走査電極群に含まれた全ての走査電極には、それぞれアドレス期間において時点ｔ０から立ち上がり始め、時点ｔ２において走査基準電圧Ｖｓｃに到達する走査基準波形が印加、すなわち、印加時間がｔ２−ｔ０である立上りランプ波形が印加される。
【０１０３】
上述したように、走査電極Ｙ１〜Ｙｍを多数の電極群に分けて、立上りランプ波形（すなわち、走査基準波形）を印加する場合、前記走査電極群の数は、２個以上、走査電極の総数以下に設定して駆動することが好ましい。
【０１０４】
前記走査電極群は、１個以上の走査電極を含み、走査電極群は、全て同数の走査電極を含み、または１個以上において異なる数の走査電極を含むことができる。
【０１０５】
たとえば、Ｙａ走査電極群は１００個の走査電極を含み、Ｙｂ走査電極群は２００個の走査電極を含むことができる。
【０１０６】
また、同一の走査電極群に含まれた全ての走査電極には、電圧の立上り時間が同一である走査基準波形、すなわち、印加時間が同一である立上りランプ波形を印加することが好ましい。すなわち、前記Ｙａ走査電極群に含まれた全ての走査電極、すなわち、Ｙａ１から走査電極Ｙａ（ｍ）／４までの走査電極に印加される走査基準波形の電圧立上り時間、すなわち、立上りランプ波形の印加時間は１０μｓとして、全て同一に設定することができる。
【０１０７】
図１１ａでは、相異なる印加時間を有する２個の立上りランプ波形の印加時間の差は同一である。すなわち、Ｙａ走査電極群に印加される立上りランプ波形の印加時間と、Ｙｂ走査電極群に印加される立上りランプ波形の印加時間との差を５μｓとするとき、Ｙｂ走査電極群に印加される立上りランプ波形の印加時間と、Ｙｃ走査電極群に印加される立上りランプ波形の印加時間との差と、Ｙｃ走査電極群に印加される立上りランプ波形の印加時間と、Ｙｄ走査電極群に印加される立上りランプ波形の印加時間との差とは、全て前述したような５μｓに設定される。
【０１０８】
また、相異なる印加時間を有する２個の立上りランプ波形の印加時間の差は異なっていてもよいが、このような駆動波形は、図１１ｂに示すようである。特に、図１１ｂは、時間差が相違することを示す。たとえば、Ｙａ走査電極群に印加される立上りランプ波形の印加時間と、Ｙｂ走査電極群に印加される立上りランプ波形の印加時間との差（ｔ２−ｔ１）を５μｓとするとき、Ｙｂ走査電極群に印加される立上りランプ波形の印加時間と、Ｙｃ走査電極群に印加される立上りランプ波形の印加時間との差（ｔ３−ｔ２）は７μｓ、Ｙｃ走査電極群に印加される立上りランプ波形の印加時間と、Ｙｄ走査電極群に印加される立上りランプ波形の印加時間との差（ｔ４−ｔ３）は１０μｓに設定される。
【０１０９】
このような方法は、アドレス期間において走査電極に印加される立上りランプ波形によって引き起こされるノイズの大きさを減少させることができる。
【０１１０】
このようにノイズが減少した理由は、全ての走査電極Ｙ１〜Ｙｍに印加される立上りランプ波形の印加電圧を同一にせず、走査電極を多数の電極群に分け、アドレス期間において、少なくとも一つの前記走査電極群に印加される立上りランプの印加時間を、残りの走査電極群と異なるように調節して、各立上りランプ波形の印加時点において、パネルの静電容量によるカップリングを減少させることにより、走査基準波形の電圧が急上昇する時点、すなわち、立上りランプ波形が印加される時点では、走査電極に印加される波形に発生する立上りノイズを減少させる。これにより、ＰＤＰの駆動素子（たとえば、走査駆動部の走査ドライバＩＣ）の電気的損傷を防止する。
【０１１１】
本実施の形態による駆動方法は、走査電極Ｙ１〜Ｙｍを多数の走査電極群に分け、アドレス期間において走査電極に印加される立上りランプ波形の印加時間を、走査電極毎に異なるようにすることであるが、これとは異なり、走査電極のそれぞれに、アドレス期間において印加される立上りパルスの印加時間を、走査電極毎にそれぞれ異なるようにすることも可能であるが、この方法を、第３の実施の形態において説明する。
＜第３の実施の形態＞
【０１１２】
図１２は、本発明の第３の実施の形態によるプラズマディスプレイ装置を示すブロック図である。本発明の範囲内において、他の実施の形態および構成もまた可能である。
【０１１３】
図１２に示すように、本実施の形態によるプラズマディスプレイ装置は、データ整列部１２００と、タイミング制御部１２０１と、データ駆動部１２０２と、走査駆動部１２０３と、維持駆動部１２０４と、ＰＤＰ１２０５とを備えている。
【０１１４】
ＰＤＰ１２０５は、１個以上の走査電極と、この走査電極と平行方向に形成された１個以上の維持電極と、この維持電極および走査電極との交差方向に形成されたアドレス電極とで構成されている。
【０１１５】
データ整列部１２００は、外部から入力される映像データを整列し、それぞれのアドレス電極Ｘ１〜Ｘｎに印加されるようにする。
【０１１６】
データ駆動部１２０２は、整列されたデータのデータパルスをＰＤＰ１２０５のアドレス電極Ｘ１〜Ｘｎに印加する。
【０１１７】
タイミング制御部１２０１は、走査駆動部１２０３と維持駆動部１２０４のパルスタイミングを制御する。
【０１１８】
走査駆動部１２０３は、走査パルスと維持パルスをそれぞれの走査電極Ｙ１〜Ｙｍに印加する。
【０１１９】
維持駆動部１２０４は、維持パルスをそれぞれの維持電極Ｚに印加する。このような過程を通じて、ＰＤＰ１２０５が駆動される。
【０１２０】
このような本実施の形態では、アドレス期間において、走査電極Ｙ１〜Ｙｍのそれぞれに印加される立上りランプ波形の印加時間をそれぞれ異なるように調節する。
【０１２１】
上述した本実施の形態において、タイミング制御部１２０１が、前記走査駆動部１２０３を制御して、上述したように、アドレス期間において、走査電極Ｙ１〜Ｙｍのそれぞれに印加される立上りランプ波形の印加時間をそれぞれ異なるように調節する。すなわち、前記走査駆動部１２０３は、タイミング制御部１２０１の制御に応じて、アドレス期間において、走査電極Ｙ１〜Ｙｍに印加される立上りランプ波形の印加時間をそれぞれ異なるようにする。
【０１２２】
ここで、相異なる印加時間を有する２個の立上りランプ波形の印加時間の差は、同一に設定され得る。たとえば、走査電極Ｙ１に印加される立上りランプ波形の印加時間は５μｓに設定し、走査電極Ｙ２に印加される立上りランプ波形の印加時間は１０μｓに設定し、走査電極Ｙ３に印加される立上りランプ波形の印加時間は１５μｓに設定し、走査電極Ｙ４に印加される立上りランプ波形の印加時間は２０μｓに設定する。すなわち、走査電極Ｙ１に印加される立上りランプ波形の印加時間と、走査電極Ｙ２に印加される立上りランプ波形の印加時間との差は５μｓであり、走査電極Ｙ２に印加される立上りランプ波形の印加時間と、走査電極Ｙ３に印加される立上りランプ波形の印加時間との差も５μｓであり、走査電極Ｙ３に印加される立上りランプ波形の印加時間と、走査電極Ｙ４に印加される立上りランプ波形の印加時間との差も５μｓである。
【０１２３】
また、相異なる印加時間を有する２個の立上りランプ波形の印加時間の差は、互いに異なるように設定され得る。たとえば、走査電極Ｙ１に印加される立上りランプ波形の印加時間は５μｓに設定し、走査電極Ｙ２に印加される立上りランプ波形の印加時間は７μｓに設定し、走査電極Ｙ３に印加される立上りランプ波形の印加時間は１５μｓに設定し、走査電極Ｙ４に印加される立上りランプ波形の印加時間は２０μｓに設定する。すなわち、走査電極Ｙ１に印加される立上りランプ波形の印加時間と、走査電極Ｙ２に印加される立上りランプ波形の印加時間との差は２μｓであり、走査電極Ｙ２に印加される立上りランプ波形の印加時間と、走査電極Ｙ３に印加される立上りランプ波形の印加時間との差は８μｓであり、走査電極Ｙ３に印加される立上りランプ波形の印加時間と、走査電極Ｙ４に印加される立上りランプ波形の印加時間との差は５μｓである。
【０１２４】
アドレス期間において走査電極に印加される立上りランプ波形の印加時間をそれぞれ調節してプラズマディスプレイ装置を駆動させる方法を、図１３ａおよび図１３ｂに示す。特に、図１３ａおよび図１３ｂは、本発明の例示的な実施の形態による（図１２に示すような）プラズマディスプレイ装置の駆動方法を説明するための図である。本発明の範囲内において、他の実施の形態および構成もまた可能である。
【０１２５】
図１３ａおよび図１３ｂに示すように、プラズマディスプレイ装置の駆動方法では、リセット期間、アドレス期間、および維持期間において、アドレス電極、走査電極Ｙ１〜Ｙｍ（ｍは、正数）、および維持電極に、所定のパルスが印加される少なくとも一つのサブフィールドの組合せによって、所定の数のフレームからなる画像を表現する駆動方法において、アドレス期間において走査電極Ｙ１〜Ｙｍに印加される立上りパルスの印加時間を、それぞれ異なるように調節する。
【０１２６】
たとえば、走査電極Ｙ１には、アドレス期間において時点ｔ０から立ち上がり始め、時点ｔ１において走査基準電圧Ｖｓｃに到達する走査基準波形が印加、すなわち、印加時間がｔ１−ｔ０である立上りランプ波形が印加され、走査電極Ｙ２には、アドレス期間において時点ｔ０から立ち上がり始め、時点ｔ２において走査基準電圧Ｖｓｃに到達する走査基準波形が印加、すなわち、印加時間がｔ２−ｔ０である立上りランプ波形が印加され、走査電極Ｙ３には、アドレス期間において時点ｔ０から立ち上がり始め、時点ｔ３において走査基準電圧Ｖｓｃに到達する走査基準波形が印加、すなわち、印加時間がｔ３−ｔ０である立上りランプ波形が印加され、走査電極Ｙ１には、アドレス期間において時点ｔ０から立ち上がり始め、時点ｔ４において走査基準電圧Ｖｓｃに到達する走査基準波形が印加、すなわち、印加時間がｔ４−ｔ０である立上りランプ波形が印加され、走査電極Ｙｍには、アドレス期間において時点ｔ０から立ち上がり始め、時点ｔｍにおいて走査基準電圧Ｖｓｃに到達する走査基準波形が印加、すなわち、印加時間がｔｍ−ｔ０である立上りランプ波形が印加される。これにより、それぞれの走査電極に印加される走査基準波形の電圧が漸進的に立ち上がる時間、すなわち、立上りランプ波形の印加時間がそれぞれ異なる。
【０１２７】
図１３ａでは、それぞれの走査電極毎に、それぞれ相異なる印加時間を有する立上りランプ波形を印加したが、このような走査電極群のうち、所定の数の電極を選択し、このように選択した走査電極にのみ相異なる印加時間を有する立上りランプ波形を印加することも可能である。たとえば、走査電極Ｙ１には、アドレス期間において時点ｔ０から立ち上がり始め、時点ｔ１において走査基準電圧Ｖｓｃに到達する走査基準波形が印加、すなわち、印加時間がｔ１−ｔ０である立上りランプ波形が印加され、走査電極Ｙ２、Ｙ３、Ｙ４、Ｙｍには、それぞれアドレス期間において時点ｔ０から立ち上がり始め、時点ｔ２において走査基準電圧Ｖｓｃに到達する走査基準波形が印加、すなわち、印加時間がｔ２−ｔ０である立上りランプ波形が印加される。
【０１２８】
図１３ａでは、相異なる印加時間を有する２個の立上りランプ波形の印加時間の差は、同一である。すなわち、走査電極Ｙ１に印加される立上りランプ波形の印加時間と、走査電極Ｙ２に印加される立上りランプ波形の印加時間との差を５μｓとするとき、走査電極Ｙ２に印加される立上りランプ波形の印加時間と、走査電極Ｙ３に印加される立上りランプ波形の印加時間との差と、走査電極Ｙ３に印加される立上りランプ波形の印加時間と、走査電極Ｙ４に印加される立上りランプ波形の印加時間との差は全て前述したような５μｓに設定され得る。
【０１２９】
また、図１３ｂに示すように、時間差は、互いに異なるように設定され得る。
【０１３０】
図１３ｂにおいて、相異なる印加時間を有する２個の立上りランプ波形の印加時間の差は異なる。すなわち、走査電極Ｙ１に印加される立上りランプ波形の印加時間と、走査電極Ｙ２に印加される立上りランプ波形の印加時間との差、すなわち、ｔ０とｔ１の差を５μｓとするとき、走査電極Ｙ２に印加される立上りランプ波形の印加時間と、走査電極Ｙ３に印加される立上りランプ波形の印加時間との差、すなわち、ｔ０とｔ２の差は７μｓ、走査電極Ｙ３に印加される立上りランプ波形の印加時間と、走査電極Ｙ４に印加される立上りランプ波形の印加時間との差、すなわち、ｔ０とｔ３の差は１０μｓに設定される。
【０１３１】
このような方法によると、図８におけるように、アドレス期間において、走査電極に印加される走査基準波形によって発生するノイズの大きさを減少させることができる。
【０１３２】
このようにノイズが減少した理由は、上述した第１の実施の形態または第２の実施の形態と同様に、全ての走査電極Ｙ１〜Ｙｍに印加される立上りランプ波形の印加電圧を同一にせず、走査電極を多数の電極群に分け、アドレス期間において、少なくとも一つの前記走査電極群に印加される立上りランプの印加時間を、残りの走査電極群に印加される立上りランプ波形の印加時間と異なるように調節して、各立上りランプ波形の印加時点において、パネルの静電容量によるカップリングを減少させることにより、立上りランプ波形が印加される時点では、走査電極に印加される波形に発生する立上りノイズを減少させる。これにより、ＰＤＰの駆動素子、たとえば、走査駆動部の走査ドライバＩＣの電気的損傷を防止する。
【０１３３】
本発明の実施の形態が説明されており、これらの実施の形態は、様々に変形され得る。このような変形は、本発明の精神と領域から逸脱するものとみなされず、技術の分野における熟練者にとって自明な全ての変形は、請求の範囲の領域内に含まれるものと意図される。上述したように、プラズマディスプレイ装置およびその駆動方法は、アドレス期間において走査電極に印加される走査基準波形の電圧立上り時間を制御することができる。これは、立上りランプ波形の印加時間を調節して、ＰＤＰの駆動素子に及ぼす電気的損傷を防止することができる。
【０１３４】
本明細書において、「一つの実施の形態」、「一実施の形態」、「例示的な実施の形態」とは、実施の形態と連関して説明した詳細な特長、構造または特徴が、本発明の少なくとも一つの実施の形態に含まれることを意味する。本明細書において数箇所におけるこのような表現は、必ずしも全て同一の実施の形態を指すものではない。さらに、実施の形態と連関して詳細な特長、構造または特徴が説明されるとき、技術の分野における熟練者であれば、実施の形態と連関して、このような特長、構造または特徴に影響を及ぼすことが理解されるであろう。
【０１３５】
以上、本発明の好適な実施の形態について説明したが、本発明は、これらに限定されず、特許請求の範囲と発明の詳細な説明および添付図面の範囲内において、様々な変形または変更が可能であり、これもまた本発明の範疇に属することは言うまでもない。
【図面の簡単な説明】
【０１３６】
【図１】例示的な配列によるＰＤＰの構造を示す概略図。
【図２】例示的な配列によるＰＤＰの画像階調を具現する方法を示す図。
【図３】例示的な配列による駆動波形を示す図。
【図４】例示的な配列によるアドレス期間に走査基準波形の印加時点を説明するための図。
【図５】例示的な配列によるアドレス期間において走査電極に印加される走査基準波形が印加されるとき、同一の印加時点によるノイズの発生を説明するための図。
【図６】本発明の第１の実施の形態によるプラズマディスプレイ装置を示すブロック図。
【図７ａ】図７ａは、本発明の例示的な実施の形態によるプラズマディスプレイ装置の駆動方法を説明するための波形図。
【図７ｂ】図７ｂは、本発明の例示的な実施の形態によるプラズマディスプレイ装置の駆動方法を説明するための波形図。
【図７ｃ】図７ｃは、本発明の例示的な実施の形態によるプラズマディスプレイ装置の駆動方法を説明するための波形図。
【図８】本発明の例示的な実施の形態によるプラズマディスプレイ装置の駆動方法によって減少されるノイズを説明するための図。
【図９】本発明の第２の実施の形態によるプラズマディスプレイ装置を示すブロック図。
【図１０】走査電極群の概念を説明するための図。
【図１１ａ】図１１ａは、本発明の例示的な実施の形態によるプラズマディスプレイ装置の駆動方法を説明するための図。
【図１１ｂ】図１１ｂは、本発明の例示的な実施の形態によるプラズマディスプレイ装置の駆動方法を説明するための図。
【図１２】本発明の第３の実施の形態によるプラズマディスプレイ装置を示すブロック図。
【図１３ａ】図１３ａは、本発明の例示的な実施の形態によるプラズマディスプレイ装置の駆動方法を説明するための図。
【図１３ｂ】図１３ｂは、本発明の例示的な実施の形態によるプラズマディスプレイ装置の駆動方法を説明するための図。
【図４】
2006189879.tif 000003
【図７ａ】
2006189879.tif 000004
【図７ｂ】
2006189879.tif 000005
【図７ｃ】
2006189879.tif 000006
【図８】
2006189879.tif 000007
【図９】
2006189879.tif 000008
【図１０】
2006189879.tif 000009
【図１１ａ】
2006189879.tif 000010
【図１１ｂ】
2006189879.tif 000011
【図１２】
2006189879.tif 000012
【図１３ａ】
2006189879.tif 000013
【図１３ｂ】
2006189879.tif 000014
【図１】
2006189879.tif 000015
【図２】
2006189879.tif 000016
【図３】
2006189879.tif 000017
【図５】
2006189879.tif 000018
【図６】
2006189879.tif 000019